(57)【要約】【課題】大きなディスプレーを有する折りたたみ式の携帯情報端末装置であり、折りたたみ時には、ディスプレーが保護され、使用時には片手掌で保持し、入力することを可能とする。【解決手段】３．５インチ以上の大きさのディスプレーを設置しているパートと、入力用キーを設置しているパートを有し、両パートを折りたたむ構造である携帯情報端末装置であって、折りたたみ時に、入力用キーを設置しているパートがディスプレーを覆う程度に大きく、入力用キー設置パートを貫通する指貫き孔もしくは指貫き用切り欠きを有するものである。  折りたたむことによりディスプレーが保護される。また、指貫き孔もしくは指貫き用切り欠きに第二指から第五指までのうち２つの指ないし４つの指を通すことにより、これらの指のみ又はこれらの指と親指により、携帯情報端末装置を保持し、かつ、入力キー部分を把握しつつ親指等による容易な入力を可能とする。【選択図】図１
2005352740.tif 000002
【特許請求の範囲】
【請求項１】
ディスプレーを設置しているＡパートと入力用キーを設置しているＢパートの両パートを、ディスプレー設置面と入力用キー設置面を内側にして折りたたむ構造を有する携帯情報端末装置であって、折りたたみ時にＢパートがＡパートのディスプレーを覆い、かつ、Ｂパートを貫通する指貫き孔もしくは／及び指貫き用切り欠きを有することを特徴とする携帯情報端末装置。
【請求項２】
指貫き孔もしくは／及び指貫き用切り欠きが第二指から第五指までの任意の指を通すことができる貫通孔もしくは／及び指貫き用切り欠きであるとともに、第一指と貫通孔もしくは／及び指貫き用切り欠きを通った他の指により把握されるＢパートの部分に入力用キーが配置されることを特徴とする請求項１に記載の携帯情報端末装置。
【請求項３】
指貫き孔もしくは／及び指貫き用切り欠きを通した第二指から第五指までの間の任意の指によりそれぞれ押下操作可能なキーを有することを特徴とする請求項１又は請求項２に記載される携帯情報端末装置。
【請求項４】
ディスプレーの大きさが３．５インチ以上であることを特徴とする請求項１、請求項２又は請求項３に記載される携帯情報端末装置。
【請求項５】
折りたたんだ外面に骨伝導スピーカーとマイクロフォンを有することを特徴とする請求項１、請求項２、請求項３又は請求項４に記載される携帯情報端末装置。
【発明の詳細な説明】
【技術分野】
【０００１】
本発明は、片手で操作可能な操作性に優れた携帯情報端末装置（ＰＤＡ）であるとともに、大型ディスプレーを有しながら携帯性の高い携帯電話を兼ねる携帯情報端末装置に関するものである。
【背景技術】
【０００２】
西暦２００３年時点で、携帯電話は折りたたみ型が全盛である。そのために従来よりも若干大型の液晶画面の内蔵が可能になった。しかし、入力用キー部分を把握して使用するために大きさが制限され、設置されるディスプレーは高々２インチ程度に制約される。
【０００３】
携帯電話では、画素数の多いカメラが内蔵される方向にあり、従来以上に大型ディスプレーが必要とされる。また、ＧＰＳやインターネット対応の対戦ゲーム等の多種類のＩＴ機能を付与し、付随する多量の情報を効果的に表示するためにも大型ディスプレーが必要となる。
【０００４】
携帯電話においてディスプレーを大きくする努力は多々なされている。その機能を考えずに単純にディスプレーを大きくしたのみの出願（特許文献１）もあるが、それぞれ工夫された多くの出願がなされている。例えば、ビデオ投影装置を搭載する方法が提案されるが、別途スクリーンが必要であり、携帯性が犠牲にされる（特許文献２）。
【０００５】
同様に、接続可能な外部ディスプレーを接続して表示する方法も提案されているが、別途ディスプレーを必要とすることで、やはり携帯性が犠牲にされる（特許文献３）。
【０００６】
更に、組み込まれた凹面鏡や凸レンズを介してディスプレーを拡大して見る方法も提案されている。しかし、凸レンズや凹面鏡を使って拡大しても、ディスプレーを見る眼の位置が狭い範囲に限定されるし、ディスプレーと眼の位置関係の微妙なズレや微動により画像が揺らぐため全く使用に耐えられないものである（特許文献４）。
【０００７】
携帯時には二つ折りに折りたたみ、使用時には開いて使用できる液晶表示装置も提案されているが、折りたたむための構造が複雑になるとともに、ディスプレーが個々の液晶表示装置の枠により二分されるため、見難く、また使用し難い（特許文献５）。
【０００８】
その他、使用時にディスプレーを９０度回転して横長にする方法も提案されている（特許文献６）。一般に携帯電話のディスプレーは縦長であるが、横長の方が文字情報記述にとって利便性が高いため回転するものであるが、ディスプレー面積が狭い問題は解決しない。このように携帯電話では携帯性を維持したままディスプレーを大きくする試みが多々なされているが、実用に供し得るものは開発されていない。
【０００９】
一方、従来の携帯情報端末では、３ないし４インチ（一般的なディスプレーの大きさを示す単位、対角の長さをインチ表示したもの、請求項及び以下同様）の大型ディスプレーを有するが、入力用キーはパソコンのキーボード様の極小型のキーを配置するか、ディスプレーの一部に同様の配列のキー機能を有するタッチパネルを組み込んでいる。しかし、これらの入力キーは小さすぎて入力し難い問題がある。
【００１０】
また、従来の携帯情報端末では、一方の手で本体を支えながら他方の手で入力するように、両手操作が必要であるため、使用場所や使用方法が限定される。例えば、電車車内において片手で吊革をつかんだまま、あるいは通勤鞄を片手に抱えたままでは操作できない。片手で機械・装置を調整しながら同時並行してデータのインプット、アウトプットすることもできない。
【００１１】
従来の携帯情報端末では、全体の大きさは小さくなり、携帯性は疑いなく大幅に向上したが、以上に述べたごとく、使用場所や使用方法を考慮した操作性や利便性については必ずしも満足できるものではなかった。
【００１２】
さらに、ＰＨＳ、ＩＥＥＥ８０２．１１、Ｂｌｕｅｔｏｏｔｈなどにより、情報ネットワークの無線化が進みつつあり、携帯情報端末は無線端末として携帯電話と機能が接近しつつある。もし、大型のディスプレーを有する装置において、携帯電話のように片手操作で速やかに入力できれば、大幅に機能の重複する携帯電話と携帯情報端末は一体化され、携帯ＩＴ環境は一変する。
【００１３】
本発明者は、携帯電話用等において片手で多種類の文字を速やかにキー入力できる技術を発明した（特許文献７）。この発明は、携帯電話様形状の装置において片手操作で複雑なキー入力を可能とする点で、携帯電話と携帯情報端末装置を一体化する技術である。
【００１４】
しかしながら、上記発明においては、片手の指と掌で入力キー部分を保持しながら同時に入力も行わなければならず、母指球（第一指（親指）の付け根の筋肉の隆起部分）をはじめとする各指各部の自由度が制約される問題が残されている。
【００１５】
また、入力キー配置部分が片手で把握可能な細いサイズであるので、ディスプレーを大きくすると、折りたたみ時にディスプレーを保護できないと言う問題も残っている。鞄、ハンドバックあるいはポケットに収納して携帯する場合、ディスプレーが大型になるほどディスプレーの保護が重要である。
【００１６】
大型のディスプレーを有する装置において、片手操作で入力する方法として特許文献７の方法が問題なく利用できれば、多種類の文字の容易な入力も可能となり、携帯電話と携帯情報端末の一本化がさらに促進され、携帯ＩＴ環境は一層大きく変貌し得る。
【００１７】
【特許文献１】特開２００２−１９９０６７号公報
【特許文献２】特開２００２−１９９０６０号公報
【特許文献３】特開２００１−２６８１８０号公報
【特許文献４】特開２００１−２１７９０８号公報
【特許文献５】特開２００１−１７５６０９号公報
【特許文献６】特開２００１−１５６８９３号公報
【特許文献７】特願２００３−１４２２１５号公報
【発明の開示】
【発明が解決しようとする課題】
【００１８】
本発明が解決しようとする課題は、折りたたむ構造を有する携帯情報端末装置において大型のディスプレーを有しながら、折りたたみ時にディスプレー面を保護することと、片手入力するときに当該装置を片手掌でしっかり保持しながら、同じ片手掌の指による入力動作を容易にするために、指の自由度を高めることにある。
【００１９】
さらに、大型のディスプレーを有しながら、携帯電話としての携帯性をも付与し、携帯電話と携帯情報端末装置を兼ねさせることにある。
【課題を解決するための手段】
【００２０】
本発明は、ディスプレーを設置しているＡパートと入力用キーを設置しているＢパートの両パートを、ディスプレー設置面と入力用キー設置面を内側にして折りたたむ構造を有する携帯情報端末装置にあって、Ａパートに大型のディスプレーを組込み、Ｂパートの大きさを折りたたみ時に大型のディスプレーをカバーできる大きさとし、Ｂパートに貫通する指貫き孔もしくは指貫き用切り欠きを設けて指を通すことにより、Ｂパートの入力用キー設置部分を片手で把握・保持しつつ入力可能とするものである。
【００２１】
ディスプレーの大きさは、携帯端末としてパソコン並の機能を期待すれば少なくとも３インチ以上の大きさが必要である。好ましくは市販携帯端末で使用される３２０ＤＰＩ×２４０ＤＰＩ以上のドット数を可能とする面積、もしくはパソコンのＶＧＡ規格である６４０ＤＰＩ×４８０ＤＰＩ以上のドット数を可能とする面積で有ることが好ましいが、実質的に３．５ないし５インチ程度である。
【００２２】
Ａパートはディスプレーを組み込むものであるため、またＢパートは折りたたんだときにディスプレーを覆う機能を付与せしめるため、ディスプレーより若干大きくする必要がある。そのため、ディスプレーを縦長に配しても、幅が大凡７０ｍｍを超える。
【００２３】
このような幅を有するため、Ｂパートを片手で握りながら入力することは難しい。しかし、Ｂパートに貫通する指貫き孔もしくは／及び指貫き用切り欠きを設けて指を通すことにより、Ｂパートの入力用キー設置部分を片手で把握・保持しつつ入力が可能となる。さらに、その結果、特許文献７の方法を用いても、ディスプレーの保護や、入力時の指の自由度の確保が可能となる。
【００２４】
また、ＡパートもしくはＢパートの折りたたんだ外面に骨伝導スピーカーとマイクロフォンを内蔵することにより、携帯電話としての機能を付与するとよい。本発明の装置は開くとかなり大きくなり、普通の電話における通常型スピーカーとマイクロフォンの適切な距離（耳元と口元の距離）を確保しようとすると、スピーカーがディスプレーと重なる等で、レイアウトが難しくなる。
【００２５】
さらに、レイアウトが可能であっても、実際に本発明と同様の大きさの装置を開いて用いると全長が１５Ｃｍないし２０Ｃｍになり、携帯電話としての携帯性に係る一般的顧客要求を満たすことが難しい。一方、本装置を折りたたんだままでは、通常型スピーカーとマイクロフォンの適切な距離が確保し難い。
【００２６】
ところが、骨伝導スピーカーを用いると頬骨が接することにより聴取可能でとなり、距離の確保が容易になる。このため、折りたたんだまま携帯電話としての使用が可能になり、携帯電話と携帯情報端末装置の統合を効果的に進めることができる。
【発明の効果】
【００２７】
以上述べたごとく、本発明では上記手段を施したことにより、形態的・機能的には大型のディスプレーを有しながら片手で入力操作可能であり、また用途的には携帯電話と携帯情報端末装置を兼ねることが可能となった。以下、実施例をもって本発明の詳細を説明する。
【実施例１】
【００２８】
図１は、本発明の装置の実施例１の図である。図中の番号は、１がディスプレーの設置されたＡパート、２が入力用キーを設置しているＢパート、３がディスプレー、４がＢパートを貫通する指貫き孔、５がＡパートとＢパートを、ディスプレー設置面と入力用キー設置面を内側にして折りたたむ構造のヒンジ部を表す。本発明の装置では、折りたたみ時にＢパートがＡパートのディスプレーを覆うことができる。
【００２９】
さらに、６が指貫き孔に通した第二指（人差し指）ないし第五指（小指）で操作するためのキーである。これらのキーは通常４個であり、特許文献７に示す通り、日本語五十音のような多文字入力を可能にするものである。
【００３０】
７は数字キーであって、携帯電話の「０」ないし「９」及び「＃」、「＊」を入力するための１２個の数字ボタンに相当し、配列は携帯電話のボタンと同様であってもよく、更に使い勝手の良いものであってもよい。
【００３１】
８はカーソルやポインターを動かすためのトラックボール、９は画面をスクロールするためのキー、１０は使用頻度の高いコマンドキーであり、例えば、リターンキー、エスケープキー、バックスペースキーあるいはカメラのシャッター等を割り当てればよい。さらに、１１はパソコン様の使い勝手を付与するためのファンクションキーを示す。
【００３２】
８、９、１０、１１のキーは本発明の請求項における必須の要件ではないが、特に８、９、１０は親指で操作可能な範囲にあるとパソコン様使用形態に近づくことが可能であるため好ましい。
【００３３】
１２はカメラレンズ、１３はカメラ本体を表す。これらも本発明の請求項における必須の要件ではないが、本発明において組込みが可能であることを示し、カメラ本体が長手方向の軸に対して回転することにより、入力キー前面から側面、背面の撮影が可能になることを示す。
【００３４】
本発明の携帯情報端末装置ではディスプレーのサイズが３．５インチ以上であることが好ましい。これより小さいとディスプレー上に十分な情報を表示できない。
【００３５】
ディスプレーのサイズを４インチと想定すると、６４０ドット×４８０ドットのＶＧＡ規格のディスプレーを縦長にして用いる場合、その幅は大凡６０ｍｍ以上である。従ってＡパート及びＢパートの幅は７０ないし８０ｍｍ程度となる。このような幅のキー入力部を片手で把握して入力しようとすると、図１の４の様な指貫き孔（又は後述する切り欠き）をもって初めて可能になる。
【００３６】
この指貫き孔は可能ならば、第二指から第五指までの４本の指を通すことが好ましいが、必ずしも４本通す必要はない。
【００３７】
図１におけるキー配列部分（掌で把握される部分）の幅は大凡４０ないし５０ｍｍ、指貫き孔の幅は大凡１５ないし２５ｍｍ必要であるので、残余の部分は１０ないし１５ｍｍ程度確保が可能となり、上述の自由度の高いカメラを組み込むことも可能になる。
【００３８】
図２は図１の本発明の携帯情報端末装置を掌で掌握したところを示す。図中の番号は、１３までは図１と共通である。２０が把握する掌、２１が第一指（親指）、２２が第二指、２３が第三指、２４が第四指、２５が第五指を示す。さらに２６が母指球を示す。
【００３９】
既存の携帯電話で、片手で把握しながら入力する場合、第二指より第五指までの必要な指と母指球で本体を保持しながら、自由になった第一指の先端でボタンを押して入力する。しかし、本体保持のために母指球を使うので第一指の中手骨さらには第一指の自由度が著しく制限される。そのため、不自由な第一指での入力を容易にするためにボタン配列の検討が重ねられたりしている。
【００４０】
本発明では、指貫き孔に通した指を、指の押し下げ状態に関わりなく、指貫き孔の内側の異なる方向の内縁に押し当てることで本体全体の保持が可能であり、第一指が本体保持の役割より解放され、第一指の自由度が確保される。
【００４１】
本発明では、既存の携帯電話のように、折りたたまないで電話機能を付与すると、全長が１５Ｃｍないし２０Ｃｍにもなり、携帯性の点で劣る。また、耳元と口元の距離を確保しようとすると、マイクロフォンとスピーカーがディスプレーやキー配列と重なり、好ましい配置を得られ難い。
【００４２】
図３は本発明の携帯情報端末装置を折りたたんだところを示す。図中の番号の１、２、５は図１と共通である。３０が骨伝導スピーカー、３１がマイクロフォン、３２が電話専用ディスプレー、３３が電話用キー（リダイアル、電話帳呼び出し等）である。
【００４３】
本発明の装置を折りたたんだ状態は、代表的な例では、幅７５ｍｍ前後、長さ８０ｍｍないし１００ｍｍ見当であり、携帯電話よりは大きいものの、携帯ＭＤプレーヤーを少し長くした程度であって、携帯機器として十分な小ささである。
【００４４】
図３のように、折りたたんだ本発明の装置の折りたたんだ外面に骨伝導スピーカー３０とマイクロフォン３１を相対して設置すると、スピーカーとマイクロフォンの距離Ｌが１００ｍｍ程度しか確保できない。しかし、骨伝導スピーカーでは頬骨に押し当てることにより聞き取り可能であるので、小さく折りたたんだまま電話機能を付与できる。
【実施例２】
【００４５】
図４は、図１における指貫き孔４を指貫き用切り欠きに代えたものである。図中の番号は４０以外全て図１と共通であり、４０が指貫き用切り欠きを示す。
【００４６】
利用者の指が太く大きい場合、指貫き孔では全体が大きくなる可能性がある。この場合、指貫き用切り欠きにすることにより対処できる。この場合、チタンやＣＦＲＰを用いれば片持ち構造でも強度不足は起きない。
【００４７】
当然ながら、一部は指貫き孔であり、他の一部が指貫き用切り欠きであるような組み合わせも可能である。
【００４８】
指貫き孔あるいは指貫き用切り欠きがあるために、ディスプレーを覆う機能の一部が欠けるように思われるが、ディスプレーの周辺をほぼカバーできているために機能は充分である。もし不十分と感じる人がいれば、指貫き孔あるいは／又は指貫き用切り欠きに更に簡単に蓋をすれば不安は解消できる。
【００４９】
本発明の装置は携帯電話として使用されるので電話機能を有することは当然であるが、パソコンとしての機能を有するために、インターフェースとして、ＩＥＥＥ８０２．１１、ＩＥＥＥ８０２.３、ＵＳＢ、ＩＥＥＥ１３９４等を有することが好ましい。
【産業上の利用可能性】
【００５０】
モバイルコンピューターが携帯電話並みの携帯性を得るとともに携帯電話の機能を併せ持つため、情報機能の機動性が格段に進歩し、ビジネス活動及びパーソナルな幅広い局面での一層の活用を可能ならしめる。
【図面の簡単な説明】
【００５１】
【図１】指貫き孔のある本発明の装置の実施例の図である（実施例１）。
【図２】実施例１の装置を掌で把握・保持した状態を示す図である。
【図３】実施例１の装置の折りたたんだ状態を示す図である。
【図４】指貫き用切り欠きのある本発明の装置の実施例の図である（実施例２）。
【符号の説明】
【００５２】
１ ディスプレーの設置されたＡパート
２ 入力用キーの設置されたＢパート
３ ディスプレー
４ Ｂパートを貫通する指貫き孔
５ ヒンジ部
６ 指貫き孔を通した第二指ないし第五指で操作するためのキー
７ 数字キー
８ トラックボール
９ スクロールするためのキー
１０ コマンドキー
１１ ファンクションキー
１２ カメラレンズ
１３ カメラ本体
２０ 把握する掌
２１ 第一指
２２ 第二指
２３ 第三指
２４ 第四指
２５ 第五指
２６ 母指球
３０ 骨伝導スピーカー
３１ マイクロフォン
３２ 電話専用ディスプレー
３３ 電話用キー
４０ 指貫き用切り欠き
【図１】
2005352740.tif 000003
【図２】
2005352740.tif 000004
【図３】
2005352740.tif 000005
【図４】
2005352740.tif 000006